(57)【要約】【課題】安全性を維持しつつ、従来よりも製造コストを抑えることができる湯水切替栓を提供する。【解決手段】湯水切替栓は、ケーシング２内を摺動することにより、湯流入口６を閉塞して水を流出させる出水状態と、水流入口７を閉塞して湯を流出口５から流出させる出湯状態との何れかの状態に切替可能な制御弁体９と、ケーシング２内に回転を阻止された状態で湯水切替ネジ１３と螺合して配置され、湯水切替ネジ１３を回転させることによりケーシング２内を軸方向へ摺動するスライダ１２と、ケーシング２内を流れる湯水の温度変化に応じて伸縮するワックスエレメント１０と、を備える。ワックスエレメント１０の伸縮を利用して、ケーシング２内を流れる湯水が所定温度以上となるときに流出口５から流出させる湯の量を減少させる閉塞機構１５を備える。【選択図】図１
2019002537.tif 000002
【特許請求の範囲】
【請求項１】
筒状のケーシングと、
前記ケーシングの周壁に軸方向へ互いに間隔を存して設けられた湯流入口及び水流入口と、
前記ケーシングの前記水流入口側の端部に設けられた流出口と、
前記ケーシング内に軸方向に摺動自在に設けられ、前記ケーシング内を摺動することにより、前記湯流入口を閉塞し且つ前記水流入口を開口して水を前記流出口から流出させる出水状態と、前記湯流入口を開口し且つ前記水流入口を閉塞して湯を前記流出口から流出させる出湯状態との何れかの状態に切替可能な制御弁体と、
前記ケーシング内で湯流入口側の端部に回転自在に配置され、一部が前記ケーシングの軸方向外方へ露出する湯水切替ネジと、
前記ケーシング内に回転を阻止された状態で前記湯水切替ネジと螺合して配置され、前記湯水切替ネジを回転させることにより前記ケーシング内を軸方向へ摺動するスライダと、
前記ケーシング内に配置され、前記ケーシング内を流れる湯水の温度変化に応じて伸縮する感温素子と、
を備え、前記制御弁体は、前記湯水切替ネジの回転によって進退する前記スライダに応じて進退するように構成された湯水切替栓であって、
前記感温素子の伸縮を利用して、前記ケーシング内を流れる湯水が所定温度以上となるときに前記流出口から流出させる湯の量を減少させる閉塞機構を備えることを特徴とする湯水切替栓。
【請求項２】
請求項１に記載の湯水切替栓であって、
前記閉塞機構は、カラー部材と、前記ケーシングの内周面に設けられた内方に張り出す張出部とで構成され、
前記感温素子の延伸によって前記カラー部材が押圧されて前記カラー部材と前記張出部とが重なり合うことにより、前記流出口から流出される湯水の量を減少させることを特徴とする湯水切替栓。
【請求項３】
請求項２に記載の湯水切替栓であって、
前記張出部は、前記ケーシング内に固定された環状部材で構成されることを特徴とする湯水切替栓。
【請求項４】
請求項２又は請求項３に記載の湯水切替栓であって、
前記カラー部材には、前記張出部の内側に向かって延びる案内部が設けられていることを特徴とする湯水切替栓。
【請求項５】
請求項１から請求項４の何れか１項に記載の湯水切替栓であって、
前記閉塞機構は、前記制御弁体によって少なくとも一部が構成され、
前記感温素子の延伸によって前記制御弁体が押圧されて前記制御弁体によって前記湯流入口が閉塞されて、前記流出口から流出される湯の量を減少させることを特徴とする湯水切替栓。
【請求項６】
請求項５に記載の湯水切替栓であって、
前記感温素子の延伸によって、前記制御弁体が押圧されて前記制御弁体によって前記湯流入口が閉塞されるときに、前記制御弁体によって前記スライダも押し戻されて、前記湯水切替ネジが回転することを特徴とする湯水切替栓。
【発明の詳細な説明】
【技術分野】
【０００１】
本発明は、湯と水とを切り替える湯水切替栓に関する。
【背景技術】
【０００２】
従来、湯流入口、水流入口及び流出口を有する筒状のケーシングと、ケーシング内に配置され湯流入口と水流入口とを選択的に閉塞可能な制御弁体とを備え、制御弁体を移動させることによって湯と水とを切り替え自在な湯水切替栓が知られている（例えば、特許文献１参照）。
【０００３】
特許文献１のものでは、一般家庭のお風呂場の水栓に取り付けられる温度調節用の湯水切替栓であり、水圧の変化などにより出湯温度が変化しても、この温度変化に伴って付勢力が変化する感温ばねによって制御弁体による湯流入口の開度が調節されて、適切な温度の湯を流出口から出すことができる。
【先行技術文献】
【特許文献】
【０００４】
【特許文献１】特開２００９−１８０３０２号公報
【発明の概要】
【発明が解決しようとする課題】
【０００５】
近年、一般家庭の給湯器の進歩により、お風呂場の水栓の手元で湯水切替栓を用いて温度調整をする機会が減少し、専ら給湯器のリモコンで温度調整するケースが増加している。
【０００６】
本発明は、以上の点に鑑み、安全性を維持しつつ、従来よりも製造コストを抑えることができる湯水切替栓を提供することを目的とする。
【課題を解決するための手段】
【０００７】
［１］上記目的を達成するため、本発明は、
筒状のケーシング（例えば、実施形態のケーシング２。以下同一。）と、
前記ケーシングの周壁に軸方向へ互いに間隔を存して設けられた湯流入口（例えば、実施形態の湯流入口６。以下同一。）及び水流入口（例えば、実施形態の水流入口７。以下同一。）と、
前記ケーシングの前記水流入口側の端部に設けられた流出口（例えば、実施形態の流出口５。以下同一。）と、
前記ケーシング内に軸方向に摺動自在に設けられ、前記ケーシング内を摺動することにより、前記湯流入口を閉塞し且つ前記水流入口を開口して水を前記流出口から流出させる出水状態（例えば、実施形態の出水状態。以下同一。）と、前記湯流入口を開口し且つ前記水流入口を閉塞して湯を前記流出口から流出させる出湯状態（例えば、実施形態の出湯状態。以下同一。）との何れかの状態に切替可能な制御弁体（例えば、実施形態の制御弁体９。以下同一。）と、
前記ケーシング内で湯流入口側の端部に回転自在に配置され、一部が前記ケーシングの軸方向外方へ露出する湯水切替ネジ（例えば、実施形態の湯水切替ネジ１３。以下同一。）と、
前記ケーシング内に回転を阻止された状態で前記湯水切替ネジと螺合して配置され、前記湯水切替ネジを回転させることにより前記ケーシング内を軸方向へ摺動するスライダ（例えば、実施形態のスライダ１２。以下同一。）と、
前記ケーシング内に配置され、前記ケーシング内を流れる湯水の温度変化に応じて伸縮する感温素子（例えば、実施形態のワックスエレメント１０やＳＭＡバネ。以下同一。）と、
を備え、前記制御弁体は、前記湯水切替ネジの回転によって進退する前記スライダに応じて進退するように構成された湯水切替栓（例えば、実施形態の湯水切替栓１。以下同一。）であって、
前記感温素子の伸縮を利用して、前記ケーシング内を流れる湯水が所定温度以上となるときに前記流出口から流出させる湯の量を減少させる閉塞機構（例えば、実施形態の閉塞機構１５。以下同一。）を備えることを特徴とする。
【０００８】
本発明によれば、従来の湯水混合栓の温度調整用の感温素子が内蔵されていた箇所に閉塞機構と閉塞機構を作動させるための感温素子を設けるだけで、所定温度以上の湯が出湯された場合に、流出口から流出する湯の量を減少させることができる。
【０００９】
ゆえに、高性能の温調機能を有する湯水混合栓のケーシングや湯水切替ネジなどを共通部品とする湯水切替栓を製造することができ、お風呂場の水栓への組み付けも従来の高性能の湯水混合栓と同様に組み付けられるため、湯水切替栓の組み付けが容易となる。従って、安全性を維持しつつ、製造コストを抑えた湯水切替栓を提供することができる。
【００１０】
［２］また、本発明においては、前記閉塞機構は、カラー部材（例えば、実施形態のカラー部材１６。以下同一。）と、前記ケーシングの内周面に設けられた内方に張り出す張出部（例えば、実施形態の環状部材１７。以下同一。）とで構成され、前記感温素子の延伸によって前記カラー部材が押圧されて前記カラー部材と前記張出部とが重なり合うことにより、前記流出口から流出される湯水の量を減少させることができる。
【００１１】
かかる構成によれば、ケーシング内を流れる湯水の温度が所定温度以上である場合には、カラー部材と張出部とが重なり合って流出口からの湯水の流出量が減少するため、高温の湯水が流出口から流れ出ることを防止又は抑制することができ、簡易な構成によって、湯水切替栓の安全性を維持することができる。
【００１２】
また、湯水の流出量が減少するため、流出量の減少により、利用者に所定温度以上の湯水が流出していることを報知することができる。
【００１３】
［３］また、本発明においては、前記張出部は、前記ケーシング内に固定された環状部材（例えば、実施形態の環状部材１７。以下同一。）で構成されることができる。
【００１４】
かかる構成によれば、ケーシングに張出部を一体成型する必要がない。このため、張出部とカラー部材との隙間を環状部材で調節することができ、ケーシングに高精度の成形が要求されることなく、製造コストを抑えることができる。
【００１５】
［４］また、本発明においては、前記カラー部材には、前記張出部の内側に向かって延びる案内部（例えば、実施形態の柱部１６ｅ。以下同一。）が設けられていることが好ましい。
【００１６】
かかる構成によれば、カラー部材が張出部の端部に引っ掛かることなく張出部の内側へ収容されて、カラー部材と張出部とを滑らかに重なり合わせることができる。また、閉塞機構が閉塞状態でない場合には、カラー部材と張出部との間に隙間が生じており、カラー部材の外周側には、湯水が流れる隙間が形成される。従って、カラー部材がぐらつき易い。しかしながら、カラー部材から張出部の内側に向かって案内部が伸びていれば、閉塞機構が閉塞状態でない場合においても、カラー部材に設けられた案内部を張出部の内側へ位置させておくことができ、カラー部材のぐらつきを防止し又は抑制させることができる。
【００１７】
更に、カラー部材に案内部を設けることによって、張出部としての環状部材からカラー部材の外側に向かって延びる他の案内部を設けた場合と比較して、環状部材をケーシングに容易に組み付けられるようになり、湯水切替栓全体としても製造が容易となる。
【００１８】
［５］また、本発明においては、前記閉塞機構は、前記制御弁体によって少なくとも一部が構成され、前記感温素子の延伸によって前記制御弁体が押圧されて前記制御弁体によって前記湯流入口が閉塞されて、前記流出口から流出される湯の量を減少させることができる。
【００１９】
かかる構成によれば、既存の制御弁体を利用して閉塞機構を構成するため、既存部品を有効活用して、安全性を確保した湯水切替栓を低廉なコストで提供することができる。特に、閉塞機構を既存の制御弁体のみを利用して構成すれば、新たな追加部品を利用せずに既存部品を有効活用して、安全性を確保した湯水切替栓を更に低廉なコストで提供することができる。
【００２０】
［６］また、本発明においては、前記感温素子の延伸によって、前記制御弁体が押圧されて前記制御弁体によって前記湯流入口が閉塞されるときに、前記制御弁体によって前記スライダも押し戻されて、前記湯水切替ネジが回転することが好ましい。
【００２１】
かかる構成によれば、感温素子の延伸によって制御弁体により湯流入口が閉塞されるとともに湯水切替ネジも回転する。従って、感温素子が冷えて縮んでも、湯水切替ネジが制御弁体によって湯流入口を閉塞し水流入口を開口させる出水状態に切り替えられているため、再び所定温度以上の湯水が流出口から流出することを防止することができる。また、所定温度以上の湯水が再度流出口から流出することを阻止する阻止状態を既存部品の湯水切替ネジで維持させることができるため、阻止状態を維持させるための機構を別途湯水切替栓に設ける必要がなく、部品点数および製造コストを増加させることなく、阻止状態の維持機能を設けることができる。
【図面の簡単な説明】
【００２２】
【図１】第１実施形態の湯水切替栓の出湯状態を一部断面で示す説明図。
【図２】第１実施形態の湯水切替栓の出水状態を一部断面で示す説明図。
【図３】第１実施形態の湯水切替栓の感温素子が延伸した状態を一部断面で示す説明図。
【図４】第１実施形態の湯水切替栓の出湯状態を一部断面で示す斜視図。
【図５】第１実施形態の湯水切替栓の感温素子が延伸した状態を一部断面で示す斜視図。
【図６】第１実施形態のカラー部材を示す斜視図。
【図７】第１実施形態のカラー部材の他の実施例を示す斜視図。
【図８】第２実施形態の湯水切替栓の感温素子が延伸した状態を一部断面で示す説明図。
【図９】第３実施形態の湯水切替栓の感温素子が延伸した状態を一部断面で示す説明図。
【発明を実施するための形態】
【００２３】
図を参照して、本発明の湯水切替栓の実施形態を説明する。図１は、第１実施形態の湯水切替栓の出湯状態を一部断面で示す説明図である。図２は、第１実施形態の湯水切替栓の出水状態を一部断面で示す説明図である。図３は、第１実施形態の湯水切替栓の感温素子が延伸した状態を一部断面で示す説明図である。図４は、第１実施形態の湯水切替栓の出湯状態を一部断面で示す斜視図である。図５は、第１実施形態の湯水切替栓の感温素子が延伸した状態を一部断面で示す斜視図である。図６は、第１実施形態のカラー部材を示す斜視図である。図７は、第１実施形態のカラー部材の他の実施例を示す斜視図である。図８は、第２実施形態の湯水切替栓の感温素子が延伸した状態を一部断面で示す説明図である。図９は、第３実施形態の湯水切替栓の感温素子が延伸した状態を一部断面で示す説明図である。
【００２４】
［第１実施形態］
図１に示すように、第１実施形態の湯水切替栓１は、円筒状のケーシング２と、ケーシング２に内蔵される制御弁機構Ｗとを備える。
【００２５】
ケーシング２は、有底筒状であって開口端部外周に雄ネジ部３ａを有する第１ケーシング部材３と、円筒状であって一方の開口端部に第１ケーシング部材３の雄ネジ部３ａに螺合する雌ネジ部４ａを有し、他方の開口端部に流出口５を有する第２ケーシング部材４とで構成される。
【００２６】
第２ケーシング部材４は、雌ネジ部４ａよりも流出口５側に位置させて周方向に間隔を存して複数穿設された湯流入口６と、湯流入口６から所定の間隔を存して流出口５側に位置させて周方向に間隔を存して複数穿設された水流入口７とを備える。また第１ケーシング部材３は、底壁の中央に穿設された孔部８を備える。
【００２７】
第２ケーシング部材４は、前記雌ネジ部４ａを有する外筒部４ｂと、その雌ネジ部４ａが形成された側と反対側の他方（流出口５側）の開口端部に周方向に間隔を存して複数設けられた接続部４ｃにより内方同心軸上に支持される内筒部４ｄとで構成される。外筒部４ｂと接続部４ｃと内筒部４ｄとにより画成される空間が、湯流入口６及び水流入口７から流入した湯水を流出させる流出口５となる。
【００２８】
内筒部４ｄの流出口５側は、閉塞されており、ワックスエレメント１０を内筒部４ｄの閉塞された部分で受けられるように構成されている。
【００２９】
制御弁機構Ｗは、湯流入口６又は水流入口７の何れかを選択的に閉塞自在な制御弁体９と、制御弁体９よりも流出口５側に配置された感温素子としてのワックスエレメント１０と、制御弁体９とワックスエレメント１０との間に配置され、制御弁体９をワックスエレメント１０から離隔させるように付勢するバイアスバネ１１と、制御弁体９と一体に成形され、制御弁体９の第１ケーシング部材３側に位置するスライダ１２とを備える。
【００３０】
なお、感温素子はワックスエレメント１０に限らず、流出口５から流出する湯水の温度が所定温度以上となるときに延伸して、所定温度未満のときに縮むものであれば他のものであってもよい。例えば、感温素子はＳＭＡ（Ｓｈａｐｅ  Ｍｅｍｏｒｙ  Ａｌｌｏｙ：形状記憶合金）バネで構成することもできる。ＳＭＡバネが湯水の温度変化によって付勢力（弾性力）が変化することにより、湯水切替栓１のバイアスバネ１１、戻り防止バネ１４、ＳＭＡバネの均衡が崩れて、結果的にＳＭＡバネが伸縮することとなる。
【００３１】
また、実施形態中、「所定温度」とはお風呂場などで湯を使用した場合の安全性に基づいて設定される温度であり、本実施形態においては、必要十分な安全性を確保することができる温度に設定されている。
【００３２】
制御弁体９には、軸方向に貫通する断面略円弧形状の湯用流路９ａが周方向に間隔を存して複数（例えば、６つ）穿設されている。湯流入口６から流入した湯は、湯用流路９ａを通って流出口５から流出する。また、制御弁体９の外周には、周方向へ環状に延びる突条９ｂが設けられている。この突条９ｂにより、湯流入口６から流入した湯が制御弁体９の外周を通過すること、及び水流入口７から流入した水が制御弁体９の外周を通過することを防止又は抑制している。また、ゴムパッキンなどと比較して突条９ｂは摩擦抵抗が少ないため、ケーシング２内で制御弁体９を滑らかに摺動させることができる。
【００３３】
ワックスエレメント１０は、図示省略したワックスおよびダイヤフラム等を収容する有底筒状のワックス筺体１０ａと、ワックス筺体１０ａの開口部にかしめて固定されたガイド部材１０ｂと、ガイド部材１０ｂ内に収容されて案内されるピストン１０ｃとを備える。ガイド部材１０ｂは、ピストン１０ｃの先端部を突出自在とさせる孔部１０ｄを備える。ワックス筺体１０ａの開口端部の外周には、径方向外方へ突出する環状突出部１０ｅが設けられている。
【００３４】
ワックスエレメント１０は、ケーシング２内を流れる湯水の温度が所定温度以上となると、ワックス筺体１０ａ内のワックスが膨張してダイヤフラム（図示省略）が膨らみ、ピストン１０ｃがガイド部材１０ｂの孔部１０ｄから突出する。また、ケーシング２内を流れる湯水の温度が所定温度未満となるとワックス筺体１０ａ内のワックスが収縮してダイヤフラム（図示省略）が元に戻り、ピストン１０ｃが再びガイド部材１０ｂ内に収容される。このようにして、ワックスエレメント１０はケーシング２内の湯水の温度変化によって伸縮自在に構成されている。
【００３５】
第２ケーシング部材４の水流入口７における流出口５側の開口縁部には、第２ケーシング部材４の径方向内方へ突出するように環状の水側弁座７ａが設けられている。第１ケーシング部材３の雄ネジ部３ａ側の開口端縁は、第２ケーシング部材４に螺着した状態で第２ケーシング部材４の湯流入口６の流出口５から離隔する側の端縁に位置しており、湯側弁座６ａとして機能する。
【００３６】
制御弁体９は、ケーシング２内において、湯側弁座６ａと水側弁座７ａとの間をケーシング２の軸方向に摺動自在に配置されている。
【００３７】
制御弁体９は、軸方向へ移動することにより、湯側弁座６ａに当接して湯流入口６を閉塞し水側弁座７ａから離隔して水流入口７を開口させる出水状態（図２参照）と、湯側弁座６ａから離隔して湯流入口６を開口し水側弁座７ａに当接して水流入口７を閉塞する出湯状態（図１参照）と、の何れかの状態に切換ることができる。
【００３８】
スライダ１２の外周面には、軸方向へ延びる溝部１２ａが周方向に間隔を存して複数形成されており、第１ケーシング部材３の内周面には、溝部１２ａに対応して軸方向へ延びる複数の突条３ｂが形成されている。溝部１２ａと突条３ｂとが係合することにより、スライダ１２のケーシング２内における回転が阻止される。また、スライダ１２の内周面には、雌ネジ部１２ｂが形成されている。
【００３９】
また、ケーシング２内には、第１ケーシング部材３の底壁とスライダ１２との間に位置させて湯水切替ネジ１３が配置されている。第１ケーシング部材３の底壁には孔部８が設けられている。湯水切替ネジ１３は、この孔部８からケーシング２の外方に露出し、図示省略した温水切替ダイヤル等が接続される接続部１３ａと、湯水切替ネジ１３の軸方向中央に設けられ、径方向に張り出して第１ケーシング部材３の底壁内面に係止することで湯水切替ネジ１３が孔部８からケーシング２の外へ脱落することを防止する環状突部１３ｂと、スライダ１２の雌ネジ部１２ｂに螺合する雄ネジ部１３ｃとを備える。
【００４０】
湯水切替ネジ１３を回転させると、湯水切替ネジ１３の雄ネジ部１３ｃが回転し、雄ネジ部１３ｃに螺合する雌ネジ部１２ｂを備えるスライダ１２は溝部１２ａと突条３ｂとの係合によって回転不能であるため、軸方向にスライドする。これにより、スライダ１２と一体に成形された制御弁体９も軸方向へ任意の位置に移動させることができる。
【００４１】
湯水切替ネジ１３の雄ネジ部１３ｃ及びスライダ１２の雌ネジ部１２ｂは、リードを大きくし湯水切替ネジ１３を小さく回転させてもスライダ１２のストロークが大きくなるように構成されている。なお、雄ネジ部１３ｃと雌ネジ部１２ｂのリードを大きくすると、スライダ１２が湯水切替ネジ１３から離隔した状態において、バイアスバネ１１の付勢力や水圧などにより、スライダ１２が湯水切替ネジ１３側へ摺動して湯水切替ネジ１３が回転してしまう虞がある。これを防止するため、湯水切替ネジ１３の環状突部１３ｂとスライダ１２との間に戻り防止バネ１４を設け、意図しないスライダ１２の摺動を防止又は抑制させている。
【００４２】
本実施形態の湯水切替栓１は、閉塞機構１５を備える。閉塞機構１５は、ケーシング２内であって制御弁体９とワックスエレメント１０との間に配置されたカラー部材１６（例えば、ステンレス製や合成樹脂製）と、第２ケーシング部材４の内周面に圧入して固定された環状部材１７（例えば、合成樹脂製）とを備える。
【００４３】
図６に示すように、カラー部材１６は、円筒部１６ａと、円筒部１６ａの一端を閉塞する閉塞部１６ｂとを備える。円筒部１６ａには、開口している他端側に位置させて周方向に間隔を存して長方形状の窓部１６ｃが複数設けられている。閉塞部１６ｂには、孔部１６ｄが設けられている。第１実施形態のカラー部材１６においては、窓部１６ｃ同士の周方向の間に存在する円筒部１６ａの柱部１６ｅの部分、及び円筒部１６ａにおける窓部１６ｃよりも他端側に位置する円筒部１６ａの部分が、カラー部材１６の軸方向への移動を案内することとなり、本発明の案内部に該当する。
【００４４】
この案内部は、環状部材１７に設けることもできる。この場合、環状部材１７からカラー部材１６の円筒部１６ａの外周まで伸びる柱部を設ければよい。しかしながら、本実施形態においては、環状部材１７をケーシング２に圧入しているため、環状部材１７に柱部を設けると圧入のときに柱部が折れないように注意しながら慎重に圧入する必要があり、組み付けが面倒である。
【００４５】
そこで、本実施形態のように案内部を環状部材１７の内側に位置するように構成することにより、環状部材１７を容易にケーシング２に組み付けられる様になり、湯水切替栓１全体としても製造が容易となる。
【００４６】
ワックスエレメント１０のワックス筺体１０ａは、閉塞部１６ｂの孔部１６ｄに挿通され、カラー部材１６の閉塞部１６ｂは、ワックス筺体１０ａの環状突出部１０ｅに係止される。
【００４７】
カラー部材１６の外径は、環状部材１７の内径よりも小径に設定されている。バイアスバネ１１の一端は、カラー部材１６の閉塞部１６ｂを介してワックスエレメント１０の環状突出部１０ｅで受けられている。
【００４８】
なお、カラー部材１６の形状は図６のものに限らない。例えば、図７に示す他のカラー部材の例のように、円筒部１６ａの他端から環状部材１７の内側に向かって延びる柱部１６ｅを備えるものであってもよい。柱部１６ｅが本発明の案内部に該当する。このように構成することにより、柱部を備えていない環状部材１７を容易にケーシング２に圧入することができ、湯水切替栓１全体としても製造が容易となる。また、柱部１６ｅは無くてもよく、柱部１６ｅに代えて、環状部材１７の一端からカラー部材１６の円筒部１６ａの外側に向かって延びる案内部を設けてもよい。
【００４９】
以下、第１実施形態の湯水切替栓１の使用方法について説明する。まず、水のみを使用する場合には、湯水切替ネジ１３を回転させてスライダ１２を湯水切替ネジ１３側に引き寄せることにより、スライダ１２と一体に成形された制御弁体９も湯水切替ネジ１３側に引き寄せられる。これにより、制御弁体９が湯側弁座６ａに当接して湯流入口６を閉塞し水流入口７のみが開口する出水状態となる。
【００５０】
湯水切替ネジ１３を反対側に回転させると、制御弁体９により水流入口７が閉塞され、湯流入口６が開口する出湯状態となる。
【００５１】
また、ケーシング２内を流れる湯水の温度が所定温度以上になると、ワックス筺体１０ａ内のワックスが膨張してダイヤフラム（図示省略）が膨らみ、ピストン１０ｃがガイド部材１０ｂの孔部１０ｄから突出する。これにより、ワックスエレメント１０によって、カラー部材１６が押圧され、カラー部材１６と張出部としての環状部材１７とが重なり合って流出口５からの湯水の流出量が減少する。このため、高温の湯水が流出口５から流れ出ることを防止又は抑制することができ、簡易な構成によって、湯水切替栓１の安全性を既存の高性能の湯水混合栓と同程度に維持することができる。
【００５２】
また、ガイド部材１０ｂからピストン１０ｃが突出して、ワックスエレメント１０が延伸すると、ワックスエレメント１０によりバイアスバネ１１を介して制御弁体９が押圧されて、制御弁体９により湯流入口６が閉塞されるようにバイアスバネ１１及び戻り防止バネ１４の付勢力が設定されている。そして、制御弁体９が湯流入口６側に押圧されることにより、湯水切替ネジ１３が回転して出水状態の位置に戻される。
【００５３】
本実施形態の湯水切替栓１によれば、従来の湯水混合栓の温度調整用の感温素子が内蔵されていた箇所に、閉塞機構１５と、閉塞機構１５を作動させるための感温素子としてのワックスエレメント１０を設けるだけで、所定温度以上の湯が出湯された場合に、流出口から流出する湯の量を減少させることができる。
【００５４】
ゆえに、既存の高性能の温調機能を有する湯水混合栓のケーシングや湯水切替ネジなどを共通部品とする湯水切替栓を製造することができ、お風呂場の水栓への組み付けも従来の高性能の湯水混合栓と同様に組み付けられるため、湯水切替栓１の組み付けが容易となる。従って、安全性を維持しつつ、製造コストを抑えた湯水切替栓１を提供することができる。
【００５５】
また、本実施形態の湯水切替栓１によれば、ケーシング２内を流れる湯水の温度が所定温度以上である場合には、カラー部材１６と張出部としての環状部材１７とが重なり合って流出口５からの湯水の流出量が減少するため、高温の湯水が流出口５から流れ出ることを防止又は抑制することができ、簡易な構成によって、湯水切替栓１の安全性を既存の高性能の湯水混合栓と同程度に維持することができる。
【００５６】
また、湯水切替栓１では、流出する湯水が所定温度以上である場合には、閉塞機構１５が閉じて、湯水の流出量が減少するため、この湯水の流出量の減少により、利用者に所定温度以上の湯水が流出していることを報知することができる。
【００５７】
また、本実施形態の湯水切替栓１によれば、カラー部材１６から案内部としての窓部１６ｃ同士の周方向の間の部分、及び窓部１６ｃよりも制御弁体９側の部分が環状部材１７の径方向内側に延びており、この部分によって、カラー部材１６が環状部材１７の内側へスムーズに移動できるように案内する。従って、カラー部材１６が張出部としての環状部材１７の端部に引っ掛かることなく環状部材１７の内側へ収容されて、カラー部材１６と環状部材１７とを滑らかに重なり合わせることができる。
【００５８】
また、閉塞機構１５が閉塞状態でない場合には、カラー部材１６と環状部材１７との間に隙間が生じており、カラー部材１６の外周側には、湯水が流れる隙間が形成される。従って、カラー部材１６がぐらつき易い。しかしながら、カラー部材１６から環状部材１７の内側に向かって上述した案内部が伸びていれば、閉塞機構１５が閉塞状態でない場合においても、カラー部材１６に設けられた案内部を環状部材１７の内側へ位置させておくことができ、カラー部材のぐらつきを防止し又は抑制させることができる。更に、カラー部材１６に案内部を設けることによって、柱部を備えていない環状部材１７を容易にケーシング２に圧入することができ、湯水切替栓１全体としても製造が容易となる。
【００５９】
また、本実施形態の湯水切替栓１によれば、ケーシング２に張出部を一体成型する必要がない。このため、張出部とカラー部材１６との隙間を本実施形態の張出部としての環状部材１７で調節することができ、ケーシング２にカラー部材１６との隙間を適切に設定すべく高精度の成形が要求されることなく、湯水切替栓１の製造コストを抑えることができる。
【００６０】
また、本実施形態の湯水切替栓１によれば、従来から高性能の湯水混合栓に用いられている既存の制御弁体９を利用して閉塞機構１５を構成するため、既存部品を有効活用して、安全性を確保した湯水切替栓１を低廉なコストで提供することができる。
【００６１】
また、本実施形態の湯水切替栓１によれば、感温素子としてのワックスエレメント１０の延伸によって制御弁体９により湯流入口６が閉塞されるとともに湯水切替ネジ１３も回転する。従って、ワックスエレメント１０が冷えて縮んでも、湯水切替ネジ１３が制御弁体９によって湯流入口６を閉塞し水流入口７を開口させる出水状態に切り替えられているため、湯流入口６が閉塞された状態を維持することができ、湯流入口６が開口することによって再び所定温度以上の湯水が流出口５から流出することを防止することができる。また、所定温度以上の湯水が再度流出口から流出することを阻止する阻止状態を既存部品の湯水切替ネジ１３で維持させることができるため、阻止状態を維持させるための機構を別途湯水切替栓に設ける必要がなく、部品点数および製造コストを増加させることなく、阻止状態の維持機能を設けることができる。
【００６２】
なお、第１実施形態においては、閉塞機構１５として、カラー部材１６と、環状部材１７と、制御弁体９とで構成されたものを説明した。しかしながら、本発明の閉塞機構は、必ずしも制御弁体９を構成要素として備えていなくてもよい。例えば、閉塞機構を、カラー部材１６と環状部材１７とで構成し、所定温度以上の湯水が流出している場合であっても、制御弁体９が湯流入口６を閉塞しないように、バイアスバネ１１及び戻り防止バネ１４の弾性力を設定してもよい。
【００６３】
また、逆に、本発明の閉塞機構は、必ずしもカラー部材１６及び環状部材１７を構成要素として備えていなくてもよい。例えば、閉塞機構を、制御弁体９で構成し、所定温度以上の湯水が流出している場合には、制御弁体９が湯流入口６を閉塞することにより、高温の湯が流出口５から流出することを防止して、安全性を維持するようにしてもよい。
【００６４】
また、第１実施形態においては、本発明の張出部として、第２ケーシング部材４と別体の環状部材１７を固定して、第２ケーシング部材４をカラー部材１６の外径に合わせて高精度に成形する必要がないものを説明したが、本発明の張出部はこれに限らない。例えば、張出部は、第２ケーシング部材４と一体に成形してもよい。
【００６５】
［第２実施形態］
図８を参照して、第２実施形態の湯水切替栓１を説明する。なお、第１実施形態と同一の構成は同一の符号を付して説明を省略する。第２実施形態の湯水切替栓１は、カラー部材及び環状部材を備えておらず、ケーシング２内を流れる湯水の温度が所定温度以上となりワックスエレメント１０がピストン１０ｃを突出させて全体が軸方向へ延びると、ワックス筺体１０ａが制御弁体９を湯流入口６を閉塞させる方向へ押圧する。従って、第２実施形態の閉塞機構１５は制御弁体９のみとなる。第２実施形態の他の構成は、第１実施形態と同様である。
【００６６】
第２実施形態の湯水切替栓１によっても、第１実施形態と同様に、従来の湯水混合栓の温度調整用の感温素子が内蔵されていた箇所に閉塞機構としての制御弁体９を作動させるための感温素子としてのワックスエレメント１０を設けるだけで、所定温度以上の湯水がケーシング２内を流れる場合に、湯流入口６を制御弁体９で閉塞して流出口５から流出する湯の量を減少させることができる。従って、第２実施形態の湯水切替栓１によれば、流出口５から流出する水の量を増加させることにより、流出口５から流出する湯水の温度を所定温度未満に抑えることができる。
【００６７】
また、高性能の温調機能を有する湯水混合栓のケーシングや湯水切替ネジなどを共通部品とする湯水切替栓を製造することができ、お風呂場の水栓への組み付けも従来の高性能の湯水混合栓と同様に組み付けられるため、湯水切替栓の組み付けが容易となる。従って、安全性を維持しつつ、製造コストを抑えた湯水切替栓を提供することができる。
【００６８】
また、本実施形態の湯水切替栓１によれば、既存の制御弁体９を利用して閉塞機構１５を構成するため、カラー部材及び環状部材等の新たな追加部品を利用せずに既存部品を有効活用して、安全性を確保した湯水切替栓１を低廉なコストで提供することができる。
【００６９】
また、本実施形態の湯水切替栓１によれば、ワックスエレメント１０の延伸によって制御弁体により湯流入口が閉塞されるとともに湯水切替ネジ１３も回転する。従って、ワックスエレメント１０が冷えて縮んでも、湯水切替ネジ１３が制御弁体９によって湯流入口６を閉塞し水流入口を開口させる出水状態に切り替えられているため、再び所定温度以上の湯水が流出口から流出することを防止することができる。また、所定温度以上の湯水が再度流出口５から流出することを阻止する阻止状態を既存部品の湯水切替ネジで維持させることができるため、阻止状態を維持させるための機構を別途湯水切替栓１に設ける必要がなく、部品点数および製造コストを増加させることなく、阻止状態の維持機能を設けることができる。
【００７０】
［第３実施形態］
図９を参照して、第３実施形態の湯水切替栓１を説明する。なお、第１実施形態と同一の構成は同一の符号を付して説明を省略する。第３実施形態の湯水切替栓１は、第２実施形態と同様に、閉塞機構１５が制御弁体９のみであるものの、ワックスエレメント１０は、制御弁体９に直接接触することなく、バイアスバネ１１を介して制御弁体９を押圧するように構成されている。また、第３実施形態の制御弁体９は、第１実施形態や第２実施形態のようにスライダ１２と一体成型されておらず、別体に構成されており、制御弁体９とスライダ１２との間には、バイアスバネ１８が配置されている。第３実施形態においては、スライダ１２は、バイアスバネ１８を介して制御弁体９を押圧することとなる。
【００７１】
本実施形態の湯水切替栓１によれば、従来の湯水混合栓の温度調整用の感温素子が内蔵されていた箇所に制御弁体９を湯流入口６閉塞側へ移動させるためのワックスエレメント１０を設けるだけで、所定温度以上の湯が出湯された場合に、湯流入口６を閉じ、流出口５から流出する湯の量を減少させることができる。これにより、湯流入口６からケーシング２内に供給される湯の量が減少し、水流入口７から流入する水の流量が増加して、流出口５から流出する湯水の温度を所定温度未満に低下させ、安全性を確保することができる。
【００７２】
また、高性能の温調機能を有する湯水混合栓のケーシングや湯水切替ネジなどを共通部品とする湯水切替栓１を製造することができ、お風呂場の水栓への組み付けも従来の高性能の湯水混合栓と同様に組み付けられるため、湯水切替栓の組み付けが容易となる。従って、安全性を維持しつつ、製造コストを抑えた湯水切替栓を提供することができる。
【００７３】
また、本実施形態の湯水切替栓１によれば、高性能の湯水混合栓で用いられる既存の制御弁体を利用して閉塞機構１５を構成するため、カラー部材及び環状部材等の新たな追加部品を利用せずに既存部品を有効活用して、安全性を確保した湯水切替栓１を低廉なコストで提供することができる。
【００７４】
また、本実施形態の湯水切替栓１によれば、感温素子としてのワックスエレメント１０の延伸によって制御弁体９により湯流入口６が閉塞されるとともに湯水切替ネジ１３も回転して、出水状態の位置に戻る。従って、ワックスエレメント１０が冷えて縮んでも、湯水切替ネジ１３は出水状態の位置を維持することとなるため、再び所定温度以上の湯水が流出口から流出することを防止することができる。また、所定温度以上の湯水が再度流出口から流出することを阻止する阻止状態を既存部品の湯水切替ネジ１３で維持させることができるため、阻止状態を維持させるための機構を別途湯水切替栓１に設ける必要がなく、部品点数および製造コストを増加させることなく、阻止状態の維持機能を設けることができる。
【００７５】
なお、第３実施形態においては、ワックスエレメント１０が延伸すると、バイアスバネ１１、制御弁体９、バイアスバネ１８、を介してスライダ１２が押圧されて移動し、湯水切替ネジ１３が回転して出水状態となる位置に戻るものを説明した。しかしながら、第３実施形態において、ワックスエレメント１０が延伸してもスライダ１２が移動せず湯水切替ネジ１３が回転しないように、２つのバイアスバネ１１、１８、及び戻り防止バネ１４の弾性力を設定してもよい。かかる構成によっても、ワックスエレメント１０の延伸により、バイアスバネ１１を介して制御弁体９を湯流入口６が閉塞される側へ移動させて出水状態とし、所定温度以上の湯水が流出口５から流れ出ることを防止するという本発明の効果を得ることができる。
【符号の説明】
【００７６】
１…湯水切替栓、  ２…ケーシング、  ５…流出口、  ６…湯流入口、  ７…水流入口、  ９…制御弁体、  １０…ワックスエレメント（感温素子）、  １２…スライダ、  １３…湯水切替ネジ、  １５…閉塞機構、  １６…カラー部材、  １６ｅ…柱部、  １７…環状部材（張出部）。
【図１】
2019002537.tif 000003
【図２】
2019002537.tif 000004
【図３】
2019002537.tif 000005
【図４】
2019002537.tif 000006
【図５】
2019002537.tif 000007
【図６】
2019002537.tif 000008
【図７】
2019002537.tif 000009
【図８】
2019002537.tif 000010
【図９】
2019002537.tif 000011